(57)【要約】【課題】照明効果を高めることが容易に可能な発光装置等を提供する。また、適正な光量で光を容器に照射可能な発光装置等を提供する【解決手段】本願は、ベース１０と、当該ベース１０上を移動可能であって、前記ベース上方に向けて発光する発光部１６ａ〜１６ｄと、前記ベース１０上に載置される容器５の種別を判別する判別手段と、前記容器５の種別に応じて前記発光部１６ａ〜１６ｄを移動させる発光部移動手段と、前記発光部１６ａ〜１６ｄを発光させる発光制御手段と、を備えている。【選択図】図３
2010129492.tif 000002
【特許請求の範囲】
【請求項１】
ベースと、
当該ベース上を移動可能であって、前記ベース上方に向けて発光する発光部と
前記ベース上に載置される物品の種別を判別する判別手段と、
前記物品の種別に応じて前記発光部を移動させる発光部移動手段と、
前記発光部を発光させる発光制御手段と、
を備えていることを特徴とする発光装置。
【請求項２】
前記判別手段による判別の結果、可視光を透過する物品である場合に当該物品に収容されている内容物の量を検出する検出手段を更に具備し、
前記発光制御手段は、
前記物品に収容されている内容物の量に応じて前記発光部が発光する光量を制御することを特徴とする請求項１に記載の発光装置。
【請求項３】
前記発光部移動手段は、前記判別手段による判別の結果、可視光を透過する物品でない場合に、前記ベース上の前記物品が占める範囲から外れた位置に前記発光部を移動させることを特徴とする請求項１に記載の発光装置。
【請求項４】
前記発光部移動手段は、前記判別手段による判別の結果、可視光を透過する物品である場合に、前記ベース上の前記物品が占める範囲から外れた位置にある発光部を当該物品が占める範囲内に移動させることを特徴とする請求項１〜３のいずれか一つに記載の発光装置。
【請求項５】
ベースと、
当該ベース上に載置される物品に収容されている内容物に向けて光を照射する発光部と、
前記ベース上に載置される物品に収容されている内容物の量を検出する検出手段と、
前記物品に収容されている内容物の量の変化に応じて、前記発光部が発光する光量を調整する発光制御手段と、
を備えることを特徴とする発光装置。
【請求項６】
ベースと、
当該ベース上に載置される物品に収容されている内容物に向けて光を照射する発光部と、
前記ベース上に載置される物品に収容されている内容物に対する前記照射された光の透過率を検出する透過率検出手段と、
前記検出された透過率に応じて、前記発光部が発光する光量を調整する発光制御手段と、
を備えることを特徴とする発光装置。
【請求項７】
ベースと、当該ベース上を移動可能であって、前記ベース上方に向けて発光する発光部と、を具備し、前記ベース上に載置される物品に対して光を照射する発光制御方法であって、
前記ベース上に載置される物品の種別を判別する判別工程と、
前記物品の種別に応じて前記発光部を移動させる発光部移動工程と、
前記発光部を発光させる発光制御工程と、
を含むことを特徴とする発光制御方法。
【請求項８】
ベースと、当該ベース上を移動可能であって、前記ベース上方に向けて発光する発光部と、を具備し、前記ベース上に載置される物品に対して光を照射する発光装置のコンピュータを、
前記ベース上に載置される物品の種別を判別する判別手段、
前記物品の種別に応じて前記発光部を移動させる発光部移動手段、及び、
前記発光部を発光させる発光制御手段、として機能させることを特徴とする発光制御処理プログラム。
【請求項９】
請求項８に記載の発光制御処理プログラムがコンピュータ読み取り可能に記録されていることを特徴とする記録媒体。
【発明の詳細な説明】
【技術分野】
【０００１】
本願は、ベースに載置された物品に対して光を照射する発光装置等の技術分野に関する。
【背景技術】
【０００２】
従来から、夜間等の暗い環境下において、容器等の物品に対して光を照射することにより照明効果を演出する技術が知られている。例えば、特許文献１には、ベースに容器が載置された状態でカバーを発光させることにより、当該容器が明るく照らされ、幻想的な照明効果を演出することが可能な技術が開示されている。
【０００３】
【特許文献１】特開２００７−１４５０８９号公報
【発明の開示】
【発明が解決しようとする課題】
【０００４】
しかしながら、従来においては、ベースに載置された容器の種別のいかんにかかわらず、当該容器に光を照射するため、容器の種別によっては照明効果を演出することが十分とは言えなかった。
【０００５】
また、従来のように一定の光量により容器に光を照射する場合であって容器が透明な容器であるときに、容器内の内容物が少なくなると照射される光の光量が強くなりすぎてまぶしくなる。
【０００６】
そこで、本願は、このような問題の解消を課題の一つとし、照明効果を高めることが容易に可能な発光装置等を提供することを目的とする。また、適正な光量で光を容器に照射可能な発光装置等を提供することを目的とする。
【課題を解決するための手段】
【０００７】
上記課題を解決するため、請求項１に記載の発光装置は、ベースと、当該ベース上を移動可能であって、前記ベース上方に向けて発光する発光部と、前記ベース上に載置される物品の種別を判別する判別手段と、前記物品の種別に応じて前記発光部を移動させる発光部移動手段と、前記発光部を発光させる発光制御手段と、を備えていることを特徴とする。
【０００８】
また、請求項５に記載の発光装置は、ベースと、当該ベース上に載置される物品に収容されている内容物に向けて光を照射する発光部と、前記ベース上に載置される物品に収容されている内容物の量を検出する検出手段と、前記物品に収容されている内容物の量の変化に応じて、前記発光部が発光する光量を調整する発光制御手段と、を備えることを特徴とする。
【０００９】
また、請求項６に記載の発光装置は、ベースと、当該ベース上に載置される物品に収容されている内容物に向けて光を照射する発光部と、前記ベース上に載置される物品に収容されている内容物に対する前記照射された光の透過率を検出する透過率検出手段と、前記検出された透過率に応じて、前記発光部が発光する光量を調整する発光制御手段と、を備えることを特徴とする。
【００１０】
また、請求項７に記載の発光制御方法は、ベースと、当該ベース上を移動可能であって、前記ベース上方に向けて発光する発光部と、を具備し、前記ベース上に載置される物品に対して光を照射する発光制御方法であって、前記ベース上に載置される物品の種別を判別する判別工程と、前記物品の種別に応じて前記発光部を移動させる発光部移動工程と、前記発光部を発光させる発光制御工程と、を含むことを特徴とする。
【００１１】
また、請求項８に記載の発光制御処理プログラムは、ベースと、当該ベース上を移動可能であって、前記ベース上方に向けて発光する発光部と、を具備し、前記ベース上に載置される物品に対して光を照射する発光装置のコンピュータを、前記ベース上に載置される物品の種別を判別する判別手段、前記物品の種別に応じて前記発光部を移動させる発光部移動手段、及び、前記発光部を発光させる発光制御手段、として機能させることを特徴とする。
【発明を実施するための最良の形態】
【００１２】
以下、本願の最良の実施形態を添付図面に基づいて説明する。なお、以下に説明する実施の形態は、飲料物を収容する容器を載置するための載置台に対して本願の発光装置等を適用した場合の実施形態である。
【００１３】
先ず、図１乃至図５を参照して、本願の一実施形態に係る発光装置の構成及び機能について説明する。図１は発光装置に容器を載置した際の外観例を示す図、図２は発光装置の縦断面図、図３は発光装置の概要構成例を示す図、図４は発光装置の平面図、図５は発光体の位置決め例を示す図である。
【００１４】
図１に示すように、本実施形態の発光装置Ｓは、飲料物２を収容した容器５を載置するためのベースとなる基部１０を備える。この基部１０は、ケース本体１１を有しており、当該ケース本体１１は、上下に開口を有する円筒状の基部本体１１ａと、基部本体１１ａの下端開口を塞ぐ円形状の底蓋１１ｂと、基部本体１１ａの上端開口を塞ぐ円形状の上蓋１１ｃと、を備えている。
【００１５】
この上蓋１１ｃは、例えば透明又は半透明の樹脂やガラスなどからなり、光を透過するようになっている。これにより図４に示すような位置に取り付けられた後述する発光部１６ａ〜１６ｄから発せられた光が、上蓋１１ｃを通過して当該上蓋１１ｃ上に載置された容器５に対して照射される。
【００１６】
ケース本体１１の内部には、図２に示すように、容器５に対して光を照射するための発光機構部１５を備えている。この発光機構部１５は、図３に示すように、発光部１６ａ〜１６ｄとしての光源モジュール、発光ドライバ２３、各種センサー２１ａ、２１ｂ、２２、及び制御部２５等を備えて構成されている。そして、各種センサー２１ａ、２１ｂ、２２の検出結果に基づいて、制御部２５が、発光ドライバ２３に対して発光制御指令を与え、発光ドライバ２３が発光部１６ａ〜１６ｄに対して駆動電流を供給することにより発光部１６ａ〜１６ｄを発光させる。
【００１７】
発光部１６ａ〜１６ｄは、例えば、夫々、発光素子１７（例えば、ＬＥＤ）と、当該発光素子１７を支持する支持体１８と、その支持体１８から下方垂直方向へ伸びるシャフト１９を備えて構成されており、各発光部１６ａ〜１６ｄは、発光ドライバ２３の制御の下、例えば、赤、青、緑の何れかの色の光を発する。
【００１８】
図４に示すように、発光素子１７は、円形状のベース部材３０に取り付けられる。このベース部材３０には、中央部から周方向に延びる３つの溝３０ａが形成されている。当該３つの溝３０ａは、ベース部材３０の中央における軸周りの角度が同一となるように形成されている。図３及び図４に示すように、発光素子１７は、シャフト１９が当該溝３０ａに嵌まり込み、支持体１８の下面がベース部材３０の上面と当接することでベース部材３０上に支持される。また、図２及び図５に示すように、シャフト１９の下端部は、当該ベース部材３０の下方に配置される円形状の光源駆動カム板３５の溝３５ａと係合する。この溝３５ａは、ベース部材３０の溝３０ａを所定の角度回転させたものであって、少なくとも互いの溝３０ａ、３５ａの一部が重なるように配置されている。この重なった部分にシャフト１９が配置され、ベース部材３０に対して光源駆動カム３５を回転することで、シャフト１９がベース部材３０の溝３０ａを移動する。
【００１９】
また、シャフト１９は、図５に示すように、光源駆動カム３５に設けられた２つの弾性部材３３ａ、３３ｂにより、互いに異なる方向に引っ張られて位置決めされている。この弾性部材３３ａ、３３ｂは、ベース部材３０の溝３０ａの軸線方向に伸縮可能に設けられている。
【００２０】
また、図２に示すように、光源駆動カム板３５の下方には基板３７が配置され、この基板３７の下方には光源駆動カム板３５を回動させるための駆動ユニット４０が配置される。当該駆動ユニット４０は支軸４１を備えるモータを備え、当該支軸４１は光源駆動カム板３５に取り付けられている。この光源駆動カム板３５は、ベース部材３０に対して回転自在に構成されており、駆動ユニット４０の支軸４１の回転によりベース部材３０に対して光源駆動カム板３５が回動する。この回動にともなって、シャフト１９がベース部材３０の溝３０ａ内を移動し、その回転方向によって、シャフト１９の移動方向が異なる。このようにしてシャフト１９に取り付けられた発光素子１７が、ベース部材３０の溝３０ａ内を半径方向に移動可能となっている。なお、ベース部材３０を、光源駆動カム板３５に対して回転自在に駆動ユニット４０の支軸４１に取り付けるように構成しても構わない。
【００２１】
また、図４に示すように、ベース部材３０には、その上面に測距センサー２１ａ、２１ｂ、及び照度センサー２２が取り付けられ、各センサー２１ａ、２１ｂ、２２、及び発光部１６ａ〜１６ｄは、基板３５と電気的に接続される。
【００２２】
測距センサー２１ａ、２１ｂは、ベース部材３０の中央部と周縁部に夫々取り付けられ、鉛直方向に光を出射し、当該光が反射して戻る戻り光を受光して反射物との距離を測定する。
【００２３】
照度センサー２２は、外部の明るさを測定するものであり、ベース部材３０の周縁部に取り付けられている。
【００２４】
また、図２に示すように、駆動ユニット４０の下方には基板が配置され当該基板４３の周縁には、その軸周りの角度を同一にして３つの重量センサー５０が取り付けられる。この重量センサー５０には、駆動ユニット４０の底部が当接するようになっており、当該駆動ユニット４０にかかる重量によって容器５の重量を測定可能になっている。なお、当該重量センサー５０は基板４３の中央部に１つ設ける構成としても構わない。
【００２５】
また、基板４３上には、図示しないが、制御部２５、発光ドライバ２３、電源部等が設けられ、これら制御部２５、発光ドライバ２３、電源部、重量センサー５０、モータ等は当該基板４３と電気的に接続される。なお、基板４３と基板３７も電気的に接続される。
【００２６】
制御部２５は、ＣＰＵ，ＲＯＭ，ＲＡＭ，及び不揮発性メモリ等により構成されており、例えばＲＯＭに記憶された発光制御処理プログラムの実行により、本願の判別手段、検出手段、発光部移動手段、及び発光制御手段等として機能し、基部上に載置された容器５に対して所定の光量を有する光を照射制御するようになっている。
【００２７】
具体的には、制御部２５は、各種センサー２１ａ、２１ｂ、２２、５０によって検出される検出結果に基づいて容器５の種別を判断し、その種別に応じて前記発光部１６ｂ〜１６ｄを所定位置に移動させ、発光部１６ａ〜１６ｄによって当該容器に対して光を照射させる。また、容器５内に収容される飲用物の容量を検出し、その容量に応じて発光部１６ａ〜１６ｄから照射させる発光量を制御する。
【００２８】
次に、図６を参照して、制御部２５における発光制御処理について説明する。図６は、制御部４における発光制御処理を示すフローチャートである。なお、図６に示す処理は、発光装置Ｓの電源オンにより開始される。また、下記において説明する測距センサー１は本実施例の測距センサー２１ａが該当し、測距センサー２は本実施例の測距センサー２１ｂが該当する。また、本実施例は、缶製品とペットボトル製品とを判別し、缶製品であれば容器５の周囲にのみ光を照射し、ペットボトル製品であれば、容器５の内部及び周囲に光を照射する。その際、容器５内に収容される内容物の量に応じて発光体１６ａ〜１６ｄの光量を適宜制御する。
【００２９】
先ず、ステップＳ１において、制御部２５は、基部１０上に容器５が載置されたか否かを判断する。この判断は、例えば、制御部２５に入力される重量センサー５０からの信号に変化があったか否かにより判断される。
【００３０】
そして、重量センサー５０からの信号に変化があった場合には（ステップＳ１：Ｙ）、ステップＳ３に進み、信号に変化がない場合には（ステップＳ１：Ｎ）、制御部２５は、発光部１６ａ〜１６ｄによる発光停止処理を行い（ステップＳ２）、処理を終了する。
【００３１】
ステップＳ３では、制御部２５は、ベース部材３０の中央に配置された測距センサー２１ａによる測定により、反射物までの距離ｔを測定し、当該距離ｔが所定の閾値以下であるか否かを判断し、所定の閾値以下であれば（ステップＳ３：Ｙ）、ステップＳ９に進み、所定の閾値を超えていれば（ステップＳ３：Ｎ）、ステップＳ４に進む。
【００３２】
ここで、ステップＳ２の処理は、一般的に、ペットボトルは可視光を透過する一方で、缶は可視光を透過しないことから、測距センサー２１ａによる反射物との距離がほぼ０であれば缶であることを判断できることに基づいて容器の種別を判断するものである。
【００３３】
次に、ステップＳ４では、制御部２５は、測距センサー２１ａにより複数の測定結果を得られたか否かを判断し、複数の測定結果が得られた場合には（ステップＳ４：Ｙ）、ステップＳ５に進み、複数の測定結果が得られなかった場合には（ステップＳ４：Ｎ）、ステップＳ２に進み、制御部２５は、発光部１６ａ〜１６ｄによる発光停止処理を行い、処理を終了する。
【００３４】
ここで、ステップＳ４の処理は、容器５内に内容物が入っていない場合には、一次反射しか得られないことに基づいて容器内の内容物の有無を判断するものである。
【００３５】
次に、ステップＳ５では、制御部２５は、測距センサー２１ａによる測定結果を参照して、入射光と反射光の差から透過率を求める。
【００３６】
また、ステップＳ６において、制御部２５は、重量センサー５０により容器の重量を測定する。
【００３７】
そして、このステップＳ５及びステップＳ６の結果を参照して、発光部から発光させるべき光量を決定（算出）する（ステップＳ７）。
【００３８】
当該発光すべき光量（発光量）は、例えば、図７に示す重量、透過率、及び発光量の関係図により決定（算出）される。図７に示されるように、透過率が低い（たとえば、濃度の濃い内容物が容器５に入っている）場合と透過率が高い（たとえば、濃度の薄い内容物（水など）が容器５に入っている）場合とで、発光量を異ならせる（透過率が高い方の発光量を上げる）。そして、各々の透過率に基づき、重量の変化に応じて、発光量を調整する。なお、発光量は、重量又は透過率のみから算出するようにしても構わない。
【００３９】
次に、ステップＳ８では、制御部２５は、前記決定された発光量で発光体１６ａ〜１６ｄを夫々発光させる制御指令を発光ドライバ２３に対して与え、ステップＳ１に戻り、処理を続行する。
【００４０】
具体的な発光制御例として、一般的には、容器５内の内容物が減少すると、容器５内の上側で乱反射する光量が増える。よって、例えば、本実施形態の発光装置Ｓを自動車に用いられるカップホルダーなどで使用する場合には運転者の視界を遮る可能性があるため発光量を下げるように制御し、安全性を確保する。また、容器５内の内容物の透過率が高い場合には、透過光が水面上で乱反射するため、発光量を下げるように制御することが好ましい。
【００４１】
次に、ステップＳ９では、制御部２５は、ベース部材３０の周縁に配置された測距センサー２１ｂによる測定により、反射物の距離を測定し、当該反射物の距離を測定可能であるか否かを判断し、反射物までの距離を測定可能であれば（ステップＳ９：Ｙ）、ステップＳ１０に進み、反射物までの距離を測定不可能であれば（ステップＳ９：Ｎ）、ステップＳ１１に進む。
【００４２】
ステップＳ１０では、制御部２５は、たとえば、３５０ｍｌ以上の缶製品（大きい缶製品）であると判断し、駆動ユニット４０のモータを回転制御して発光体１６ｂ〜１６ｄをベース部材３０の周縁側の第１所定位置に移動させ、所定の光量で当該発光体１６ｂ〜１６ｄを夫々発光させる制御指令を発光ドライバ２３に対して与え、ステップＳ１に戻り、処理を続行する。
【００４３】
また、ステップＳ１１では、制御部２５は、たとえば、３５０ｍｌ未満の缶製品（小さい缶製品）等であると判断し、駆動ユニット４０のモータを回転制御して発光体１６ｂ〜１６ｄをベース部材３０の中央から周縁の間の第２所定位置に移動させ、所定の光量で発光体１６ｂ〜１６ｄを夫々発光させる制御指令を発光ドライバ２３に対して与え、Ｓ１に戻り、処理を続行する。
【００４４】
ここで、ステップＳ１０及びステップＳ１１では、容器５の大きさに応じて発光体１６ｂ〜１６ｄを移動させる制御を行う。この移動量は予め定められた規定値によって行われる。たとえば、上記した第１所定位置と第２所定位置は、各々基部１０において容器５の占める範囲から外れた位置とされる。また、ステップＳ８及びステップＳ９では、缶製品の外側のみを光らせるため発光体１６ａは発光させない。
【００４５】
なお、ステップＳ８において、発光体１６ａ〜１６ｄを発光させる際には、例えば、発光体１６ｂ〜１６ｄが第１所定位置又は第２所定位置にある場合には、各々容器の占める範囲内に移動させる制御を行う。
【００４６】
以上説明したように、上記実施形態によれば、制御部２５が、容器５の種類、形状、又は容器５内の内容物の量、又は透過率に応じて発光体１６ａ〜１６ｄの位置、光の照射形態、又は照射量を適宜調整するように構成したので、容器５に光を照射したときに生じる照明効果を効果的に高めることができる。
【００４７】
また、容器５内の内容物の減少にしたがって照射する光を調整するようになっているので、違和感無くその場の雰囲気を維持することができる。
【００４８】
特に、物品が透明又は半透明からなる容器５（ペットボトル、グラス等）であって飲物が入っている容器５の場合には、これに照射される光によりユーザに対して癒し等の効果を与えることができる。
【００４９】
また、発光体１６ａ〜１６ｄの光量は、容器５内の内容物の透過率、又は透過率の変化のみに応じて適時調整するように構成しても構わない。
【００５０】
なお、上記実施形態においては、基部１０上に容器５が載置されたか否かを判断することによって、発光部が発光することを説明しているが、これに限ることなく、その判断に加えて照度センサー２２によって測定された外部の明るさに応じて発光部が発光するようにしてもよい。たとえば、基部１０上に容器５が載置されたと判断した場合でも照度センサー２２によって所定値以上の外部の明るさを測定された場合には発光部が発光しないようにしてもよい。また、たとえば、基部１０上に容器５が載置されていない場合でも照度センサー２２によって所定値未満の外部の明るさを測定された場合には発光部による発光を停止せず、その光量を調整（小さく）して発光するようにしてもよい。
【００５１】
また、上記実施形態においては、発光装置Ｓに３つの発光部を備えた例を示したが、４つ以上の発光部を備えても良い。
【００５２】
また、本実施形態においては、物品として容器（特に缶製品やペットボトル）として説明したが、グラスやジョッキなどにも適用可能である。よって、発光装置Ｓは、車室内に設けられるカップホルダーや、コースターに適用可能である。
【図面の簡単な説明】
【００５３】
【図１】発光装置に容器を載置した際の外観例を示す図である。
【図２】発光装置の縦断面図である。
【図３】発光装置の概要構成例を示す図である。
【図４】発光装置の平面図である。
【図５】発光体の位置決め例を示す図である。
【図６】制御部における発光制御処理を示すフローチャートである。
【図７】発光量を決定する際に参照される発光量、重量、及び透過率の関係を示す図である。
【符号の説明】
【００５４】
１０  基部
１６ａ〜１６ｄ  発光体
２１ａ、２１ｂ  測距センサー
２５  制御部
５０  重量センサー
Ｓ  発光装置
【図１】
2010129492.tif 000003
【図２】
2010129492.tif 000004
【図３】
2010129492.tif 000005
【図４】
2010129492.tif 000006
【図５】
2010129492.tif 000007
【図６】
2010129492.tif 000008
【図７】
2010129492.tif 000009